(57)【特許請求の範囲】
【請求項１】
内部にダンボール等による回収容器を設置するために開放される扉と、上部から回収容器内に廃棄物を投入する投入口を備えたキャビネット本体であって、該キャビネット本体は、前記投入口の内側にて、一端辺部を支点として回動自在とすることで、当該投入口を閉塞または開放可能とした投入口用回動蓋と、前記回収容器を載置するキャビネット本体の内底部に備えられた下部載置棚と、回収容器内に回収された廃棄物が一定の重量に達すると、投入口用回動蓋の投入口を開放する方向への回動を阻止する、機械的に構成された回動蓋施開錠装置が下部載置棚と投入用回動蓋間に配設され、回動蓋施開錠装置は、回収容器内に回収された廃棄物の増加によって、下部載置棚と共に随時下降する昇降部材と、回収容器内に回収された廃棄物が一定の重量に達すると、昇降部材の下降動作が停止し、方向転換部材によって水平方向にスライドするスライド部材と、スライド部材の水平方向の動きと連動し、投入口用回動蓋の投入口を開放する方向への回動を阻止する施錠部材より構成されていることを特徴とする機密書類廃棄用キャビネット。
【請求項２】
スライド部材は昇降部材の方向に常に付勢され、方向転換部材は、スライド部材に取付けられる基台と、基台に保持される出入嵌合部材より構成され、出入嵌合部材は、基台に保持された状態で常に前方に付勢されると共に、昇降部材に設けられた嵌入ピンが嵌入する昇降案内溝とスライド案内溝を基台間に形成し、回収容器内に回収された廃棄物が一定の重量に達し、昇降部材に設けられた嵌入ピンが昇降案内溝の下端に達し、スライド案内溝の端部が嵌入ピンに当接するまでスライド部材がスライドし、同時に施錠部材の施錠杆が上昇して投入口用回動蓋の投入口を開放する方向への回動を阻止し、回収容器内に回収された廃棄物が除去されると、上昇する嵌入ピンが出入嵌入部材を後方に押しやりながら、水平方向転換部材によって、スライド部材が昇降部材とは反対の方向にスライドし、同時にスライド部材によって施錠部材の施錠杆が下方に押し下げられて、投入口用回動蓋の回動を可能とすることを特徴とする請求項１に記載の機密書類廃棄用キャビネット。
【請求項３】
施錠部材は、スライド部材に設けられた施錠杆操作片と、施錠杆操作片が係合する係合孔が形成されて常に上方に付勢された施錠杆より構成され、施錠杆操作片の先端部から昇降部材側にかけて下方に傾斜する方向に開錠用傾斜面を有し、回収容器内に回収された廃棄物が除去された状態で施錠杆の係合孔の下端に完全に係合して、施錠杆を下方に押し下げた状態を維持し、回収容器内に回収された廃棄物が一定の重量に達した状態で、施錠杆操作片が移動することで、開錠用傾斜面の先端部が係合孔の下端に係合し、施錠杆の上端に形成された係止突片が投入口用回動蓋の裏面後方に突出して投入口用回動蓋の投入口を開放する方向への回動を阻止する回動を阻止すると共に、係止突片の上端には、前端から後端にかけて下方に傾斜する回動蓋閉鎖案内面が形成されていることを特徴とする請求項２に記載の機密書類廃棄用キャビネット。
【発明の詳細な説明】
【技術分野】
【０００１】
本発明は、例えばオフィス内で発生する機密書類、個人情報書類、記録媒体等を廃棄するに際し、これら廃棄物を安全で且つ手間を掛けずに回収できる循環型システムを可能にした機密書類廃棄用キャビネットに関するものである。
【背景技術】
【０００２】
近年、社会の要求により情報量が急激に増加しているのに伴い、機密書類・個人情報書類・記録媒体等の増加が一途をたどっている。使用済みとなったこれらの機密書類・個人情報書類・記録媒体等の廃棄物は、ダンボール箱に詰めて焼却処理されるか、あるいは分別されてリサイクルされるか、さらにはシュレッダー処理してから焼却もしくは埋め立て処理されるか等のいずれかの方法で処分されてきた。
また、従来においては、例えば特許文献１に開示されているように、機密情報や個人情報を記載した書類を含む紙類やそれらの情報が記録されたＣＤ等の記録媒体を回収するもので、特に投入された紙類または記録媒体が一定量以上になると、それ以上投入を不可能とするか、あるいは投入しないように警告を発するように工夫した回収容器なる技術が存在する。
【０００３】
すなわち、この回収容器は、紙類または記録媒体を投入する投入口と、前記投入口が設けられた面に平行に移動するシャッターと、袋状の回収容器に投入された紙類または記録媒体の蓄積に伴って発生する当該回収容器の内側にかかる力を前記シャッターに伝えるために、押し板・ロッド・クランク、またはバネ・スイッチ・電動モータ等によるシャッター駆動部を備え、前記回収容器の内側にかかる力を前記シャッター駆動部が前記シャッターに伝えることにより、前記シャッターが移動して、前記投入口の一部または全部を塞ぐようにしたものである。
【０００４】
このように、特許文献１では、投入物で袋状の回収容器が横方向に膨らむ力を利用することによって、回収された書類あるいは記録媒体が多くなるのに伴い段階的にシャッターが投入口を塞ぐことになり、投入者に対して、それ以上の投入をさせないようにしている。
【０００５】
しかしながら、特許文献１に開示されている技術においては、押し板・ロッド・クランク、またはバネ・スイッチ・電動モータ等によりシャッター駆動部を構成しているため、金具の使用量が増えてしまい、したがって複雑な構成とならざるを得ないものとなる。
また、投入物で袋状の回収容器が横方向に膨らむ力を利用することから、投入された廃棄物の回収量が正確に把握されないまま回収されてしまう虞がある。
【０００６】
そこで、特許文献２に開示されているように、回収容器内に回収された廃棄物によって該回収容器が一定の荷重に達すると、棚下のバネが圧縮されてスイッチボタンが押されることで、当該レリーズを介してシャッターを下方に引き込み、投入口をシャッターで完全に閉塞して投入不可能な状態となるようにした機密書類廃棄用キャビネットが提案された。
【０００７】
このシャッターには、投入可能である状態と投入不可能である状態とのメッセージがそれぞれ上下に並んで布置されてなる指示部を備え、該指示部に対応して扉の投入口下側には指示用窓部を備え、シャッターが上下いずれかの方向に移動した際に、両メッセージのいずれか一方が指示用窓部を通して交互に表示されるものとなっている。
しかしながら、特許文献２の場合においては、厚みのあるファイルや冊子、あるいは束ねられた記録用紙等の廃棄物を投入する場合には、投入口の縦幅が狭過ぎて投入することができない。これを解決すべく、投入口を広くしてしまうとシャッターによる十分な閉鎖が得られない。
【０００８】
すなわち、シャッターは、扉の内側に配設されたシャッター取付板を介して上下方向にスライド可能となるよう薄板状に形成されている。具体的には、シャッターの左右両端側は、シャッター取付板の左右両端の側板によって保持されており、またシャッターの左右両端部には上下対称位置に長孔が形成され、シャッター取付板の四隅に突設したねじ等のガイド棒がこれら各長孔に挿入されて外側からナット等を介して保持されているものとなっている。
【０００９】
したがって、投入口が広いと、棚下のバネが圧縮されてスイッチボタンが押されることによる投入口の閉鎖方向へのシャッター引き込み時のストロークが長くなり、レリーズによるシャッターの下方引き込み力が十分に伝達されず、各長孔におけるガイド棒のスライドがスムーズに行えなくなるという支障が生じる虞がある。
【００１０】
そこで、特許文献３に開示されているように、厚みのあるファイルや冊子、あるいは束ねられた記録用紙等の廃棄物を投入できるよう投入口の縦幅を広くした場合であっても、当該投入口を確実且つ強固に閉鎖することができ、しかも閉鎖後においては、投入口の閉鎖ロック状態を確実に維持することができるようにした機密書類廃棄用キャビネットが提案された。
【００１１】
このキャビネットは、内部にダンボール等による回収容器を設置するために開放される扉と、上部から回収容器内に廃棄物を投入する投入口とを備えたキャビネット本体であって、該キャビネット本体は、前記投入口の内側にて上下方向にスライド可能にすることで当該投入口を閉塞または開放可能とした投入口可動棚と、該投入口可動棚を上方付勢する昇降駆動バネと、該投入口可動棚から垂下され且つそれぞれの中央に係合孔を設けた第１係止片および第２係止片と、前記昇降駆動バネの上方付勢に抗して下降した前記投入口可動棚を下方位置に保持可能とするよう前記第１係止片の係合孔に係合させる第１ラッチ、および、前記昇降駆動バネの上方付勢に任せて上昇した前記投入口可動棚を上方位置でロック可能とするよう前記第２係止片の下端を係止させる第２ラッチをそれぞれ配してなる固定基板と、前記回収容器を支えるようキャビネット本体の内底部に備えた下部スライド棚と、前記第１ラッチ側にレリーズワイヤを介して繋がれた状態で前記下部スライド棚の近傍に配されたスイッチボタンとを有し、回収容器内に回収された廃棄物によって該回収容器が一定の荷重に達すると、下部スライド棚の下部に配した支持バネが圧縮されてスイッチボタンが押されることで前記レリーズワイヤを介して第１ラッチによる第１係止片の係止を解除し、前記昇降駆動バネの張力によって前記投入口可動棚を上方に引き上げ、投入口を投入口可動棚で完全に閉塞して廃棄物の投入を不可能にすると同時に第２係止片の下端を第２ラッチによって係止させることで前記投入口可動棚を上方位置でロック可能とするものである。
【００１２】
しかしながら、特許文献３の場合においては、投入口可動棚を前記投入口の内側にて上下方向にスライド可能にすることで当該投入口を閉塞または開放可能としているので、投入途中で回収容器が一定の荷重に達すると、投入口可動棚が上下にスライドし、投入者の手先を挟さみ込む恐れがあり、安全性が十分とはいえなかった。
【先行技術文献】
【特許文献】
【００１３】
【特許文献１】特許第３６８７６３０号公報
【特許文献２】特許第４８２３９７２号公報
【特許文献３】特許第４８２３９７２号公報
【発明の開示】
【発明が解決しようとする課題】
【００１４】
本発明は、従来の問題点に鑑みて、厚みのあるファイルや冊子、あるいは束ねられた記録用紙等の廃棄物を投入できるよう投入口の縦幅を広くした場合であっても、当該投入口を確実且つ強固に閉鎖することができ、しかも、投入口が閉鎖途中であっても、手先をつめる恐れがなく、安全性に優れ、閉鎖後においては、投入口の閉鎖ロック状態を確実に維持することができるようにした機密書類廃棄用キャビネットを提供することを課題とする。
【課題を解決するための手段】
【００１５】
そこで、上記課題を解決する為、本発明が第１の手段として構成したところは、内部にダンボール等による回収容器を設置するために開放される扉と、上部から回収容器内に廃棄物を投入する投入口を備えたキャビネット本体であって、該キャビネット本体は、前記投入口の内側にて、一端辺部を支点として回動自在とすることで、当該投入口を閉塞または開放可能とした投入口用回動蓋と、前記回収容器を載置するキャビネット本体の内底部に備えられた下部載置棚と、回収容器内に回収された廃棄物が一定の重量に達すると、投入口用回動蓋の投入口を開放する方向への回動を阻止する、機械的に構成された回動蓋施開錠装置が下部載置棚と投入用回動蓋間に配設され、回動蓋施開錠装置は、回収容器内に回収された廃棄物の増加によって、下部載置棚と共に随時下降する昇降部材と、回収容器内に回収された廃棄物が一定の重量に達すると、昇降部材の下降動作が停止し、方向転換部材によって水平方向にスライドするスライド部材と、スライド部材の水平方向の動きと連動し、投入口用回動蓋の投入口を開放する方向への回動を阻止する施錠部材より構成されているものである。
【００１７】
次に本発明が第２の手段として構成したところは、第１の手段としての構成に加え、スライド部材は昇降部材の方向に常に付勢され、方向転換部材は、スライド部材に取付けられる基台と、基台に保持される出入嵌合部材より構成され、出入嵌合部材は、基台に保持された状態で常に前方に付勢されると共に、昇降部材に設けられた嵌入ピンが嵌入する昇降案内溝とスライド案内溝を基台間に形成し、回収容器内に回収された廃棄物が一定の重量に達し、昇降部材に設けられた嵌入ピンが昇降案内溝の下端に達し、スライド案内溝の端部が嵌入ピンに当接するまでスライド部材がスライドし、同時に施錠部材の施錠杆が上昇して投入口用回動蓋の投入口を開放する方向への回動を阻止し、回収容器内に回収された廃棄物が除去されると、上昇する嵌入ピンが出入嵌入部材を後方に押しやりながら、水平方向転換部材によって、スライド部材が昇降部材とは反対の方向にスライドし、同時にスライド部材によって施錠部材の施錠杆が下方に押し下げられて、投入口用回動蓋の回動を可能とするものである。
【００１８】
次に本発明が第３の手段として構成したところは、第２の手段としての構成に加え、施錠部材は、スライド部材に設けられた施錠杆操作片と、施錠杆操作片が係合する係合孔が形成されて常に上方に付勢された施錠杆より構成され、施錠杆操作片の先端部から昇降部材側にかけて下方に傾斜する方向に開錠用傾斜面を有し、回収容器内に回収された廃棄物が除去された状態で施錠杆の係合孔の下端に完全に係合して、施錠杆を下方に押し下げた状態を維持し、回収容器内に回収された廃棄物が一定の重量に達した状態で、施錠杆操作片が移動することで、開錠用傾斜面の先端部が係合孔の下端に係合し、施錠杆の上端に形成された係止突片が投入口用回動蓋の裏面後方に突出して投入口用回動蓋の投入口を開放する方向への回動を阻止する回動を阻止すると共に、係止突片の上端には、前端から後端にかけて下方に傾斜する回動蓋閉鎖案内面が形成されているものである。
【発明の効果】
【００１９】
本発明が第１の手段としての構成によると、該キャビネット本体は、前記投入口の内側にて、一端辺部を支点として回動自在とすることで、当該投入口を閉塞または開放可能とした投入口用回動蓋を設けているので、投入途中で回収容器が一定の荷重に達しても、投入口用回動蓋は、投入者の手先が投入口から抜けでない限り、投入口を閉塞することがなく安全に作業ができる。
さらに、回動蓋施開錠装置はキャビネット本体に配設されているので、例え扉が何らかの理由で破損しても本来の機能に影響を与えることがない。又、回動蓋施開錠装置は機械的に構成されているので、設置の際の電機配線の必要がなく、停電等に影響されることもない。
また、回動蓋施開錠装置は、下部載置棚と昇降部材、方向転換部材を有するスライド部材と、スライド部材の水平方向の動きと連動し、投入口用回動蓋の回動を阻止する施錠部材よりなる簡単な構造であるから安価に製作できる。
【００２１】
本発明が第２、第３の手段として構成したところによると、回収容器内に回収された廃棄物が一定の重量に達した状態で、投入口用回動蓋の回動を阻止し、回収容器内に回収された廃棄物が除去された状態で、投入口用回動蓋の回動が可能となり、投入途中で施錠部材が施錠姿勢となっても、手先が投入口から抜け出すと、投入口用回動蓋が、前端から後端にかけて下方に傾斜している回動蓋閉鎖案内面によって係止突片を押し下げて、投入用回動蓋が閉鎖状態となり、廃棄物の投入、除去以外の余分な作業を必要としないので、使い勝手に優れている。
【図面の簡単な説明】
【００２２】
【図１】本発明の正面図
【図２】本発明の側面図
【図３】図１のＡ−Ａ線断面図
【図４】図３のＢ−Ｂ線断面図
【図５】投入可能状態の本発明の要部平面図
【図６】投入可能状態の本発明の要部正面図
【図７】図６のＣ−Ｃ線断面図
【図８】図７のＤ−Ｄ線要部拡大断面図
【図９】図８のＥ−Ｅ線要部拡大断面図
【図１０】投入不能状態の本発明の要部平面図
【図１１】投入不能状態の本発明の要部正面図
【図１２】図１１のＦ−Ｆ線断面図
【図１３】図１２のＧ−Ｇ線要部拡大断面図
【図１４】図１３のＨ−Ｈ線要部拡大断面図
【図１５】投入可能状態の本発明の左右方向転換部材付近の要部正面図
【図１６】図１５のＪ−Ｊ線要部断面図
【図１７】投入不能状態の本発明の左右方向転換部材付近の要部正面図
【図１８】図１７のＫ−Ｋ線要部断面図
【図１９】スライド部材のスライド途中の左右方向転換部材付近の要部正面図
【図２０】図１９のＬ−Ｌ線要部断面図
【図２１】出入嵌合部材の斜視図
【図２２】基台の斜視図
【発明を実施するための最良の形態】
【００２３】
内部にダンボール等による回収容器を設置するために開放される扉と、上部から回収容器内に廃棄物を投入する投入口を備えたキャビネット本体であって、該キャビネット本体は、前記投入口の内側にて、一端辺部を支点として回動自在とすることで、当該投入口を閉塞または開放可能とした投入口用回動蓋と、前記回収容器を載置するキャビネット本体の内底部に備えられた下部載置棚と、回収容器内に回収された廃棄物が一定の重量に達すると、投入口用回動蓋の回動を阻止する、下部載置棚と投入用回動蓋間に配設され、機械的に構成された回動蓋施開錠装置よりなり、回動蓋施開錠装置は、回収容器内に回収された廃棄物の増加によって、下部載置棚と共に随時下降する昇降部材と、回収容器内に回収された廃棄物が一定の重量に達すると、昇降部材の下降動作が停止し、左右方向転換部材によって水平方向にスライドするスライド部材と、スライド部材の水平方向の動きと連動し、投入口用回動蓋の回動を阻止する施錠部材より構成されているものである。
【実施例】
【００２４】
以下、第１実施例を添付図面に基づいて詳述する。
本発明に係る機密書類廃棄用キャビネット１０を構成するキャビネット本体１は、図１および図２に示すように、外装部分が約１ｍｍ程度の厚みを有する鋼板を使用した縦長のボックス構造によって形成され、前面には内部にダンボール等による回収容器Ｑ（図３）を設置するために開放される片開きになる扉２を有している。この扉２は施解錠が可能で、前面右側上部に表示窓２１が設けられている。
【００２５】
そして、キャビネット本体１の底保持部１１の下面四隅には移動のためのストッパー付きキャスター１１０・・・が装備されている。
さらに、キャビネット本体１の背板１２上部の左右端部には、当該キャビネット本体１を手でもって運搬するための取手１３、１３が設けられ、左右側板１４、１４の下端部は、床面に固定された連結固定板１５、１５にボルト等にて連結され、地震時の転倒防止が図られている。
【００２６】
又、キャビネット本体１は図１から図４に示すように、前面と上面が開口する縦長箱体部１００と、縦長箱体部１００の上面に連結された天蓋部２００より構成されている。
縦長箱体部１００には、上面に空の回収容器Ｑをセットした状態で、最も高い状態に位置する下部載置棚３が、底保持部１１のやや上方で上下動可能に設けられている。
すなわち、上面と前面が開口し、下面にストッパー付きキャスター１１０・・・が装備された箱状の底保持部１１の内部で、上下動可能に保持され、下面所定個所と底保持部１１間に所定数（実施例では９個）の載置棚押し上げバネ３０・・・を有し、回収容器Ｑ内の廃棄物の重量が増すにつれて、下部載置棚３は下降する構成となっている。
【００２７】
天蓋部２００は、前面に横長開口状の投入口２０が設けられ、該投入口２０の内側に、上端部を支点として下方が内側に回動可能にすることで当該投入口２０を閉塞または開放可能とした投入口用回動蓋２０１が設けられ、投入口用回動蓋２０１の下方に、回動蓋施開錠装置５０の施錠部材８が出入する施錠部材出入孔２０２が形成された施錠部材カバー体２０３を有している。そして、施錠部材カバー体２０３の後部に、廃棄物を回収容器Ｑ内に投入し易くするための、後部が下方に傾斜する投入案内面２０４が形成され、縦長箱体部１００の前面上端に配設された上前框材１６の後面にネジ止め連結されている。
尚、上端回動部に設けられた巻バネ（図示せず。）によって、投入口用回動蓋２０１は常に投入口２０を閉塞方向に付勢されている。
【００２８】
下部載置棚３と投入口用回動蓋２０１間に配設された回動蓋施開錠装置５０（図６に示す）は、回収容器Ｑ内に回収された廃棄物の増加によって、下部載置棚３と共に随時下降する昇降部材５と、回収容器Ｑ内に回収された廃棄物が一定の重量に達すると、昇降部材５の下降動作が停止し、方向転換部材６によって水平方向にスライドするスライド部材７と、スライド部材７の水平方向の動きと連動し、投入口用回動蓋２０１の回動を阻止する施錠部材８より構成されている。
【００２９】
昇降部材５は、縦長箱体部１００の側板１４の前端部に形成された前端折曲部１４１と、側板１４の前側部内面に設けられた前補強材１４２間で昇降自在に保持される昇降杆５１と、昇降杆５１の上端に設けられた施錠部材８方向に突出する横向きＬ字型の上部突出片５２と、昇降杆５１の下端に設けられ、前記下部載置棚３の前端と連結される下部連結部材５３（図３に示す。）より構成され、上部突出片５２の所定位置には後方に向かって突出する嵌入ピン５４が設けられている。
【００３０】
方向転換部材６は、スライド部材７に取り付けられる基台６１と、基台６１に保持される出入嵌合部材６２と、出入嵌合部材６２と、基台６１の裏面に連結される保持蓋６４より構成され、出入嵌合部材６２は、押しバネ６３によって常に前方に付勢された状態で、基台６１に保持されている。
【００３１】
基台６１は、出入嵌合部材６２の周部翼片６２１が保持される裏面側の保持用凹部６１１と、保持用凹部６１１に対向する表面側に形成された、略三角形状のスライド凹部６１０と、出入嵌合部材６２の一部が嵌入する出入嵌合孔６１２と、保持蓋６４を連結するための連結用孔６１８・・・を有している。
【００３２】
スライド凹部６１０は縦壁６１３、水平壁６１４、傾斜壁６１５と、縦壁６１３、水平壁６１４に連設された内面に突出する縦突出壁６１６、水平突出壁６１７と、水平壁６１４と傾斜壁６１５間に連設された案内停止壁６１８とより構成されている。
出入嵌合孔６１２は出入嵌合部材６２の後記する突出嵌合部６２２の外形形状に一致する略台形状に形成されている。
【００３３】
出入嵌合部材６２は、突出嵌合部６２２と、突出嵌合部６２２の後端部周部に連設され、前記基台６１の保持用凹部６１１内に移動自在に保持される周部翼片６２１と、突出嵌合部６２２の裏面側に形成された後端が開口する押しバネ保持孔６２７より構成されている。
【００３４】
突出嵌合部６２２は、出入嵌合孔６１２に嵌入して前方に突出した状態で、基台６１の表面と、その前面がほぼ面一にとなり、縦壁６１３と縦突出壁６１５で、昇降案内溝６０を形成する縦嵌合凸壁６２３と、水平壁６１４と水平突出壁６１６で、昇降案内溝６０の下端から連続するスライド案内溝６００を形成する水平嵌合凸壁６２４と、水平壁６１４の端部と傾斜壁６１５の端部と案内停止壁６１８で方向転換案内溝６２０を形成する案内嵌合凸壁６２５と、案内嵌合凸壁６２５の前方下端部から上方後端部側に傾斜する斜面で、順次立ち上がりながら縦嵌合凸壁６２３の前方上端方向に削り取られたように形成された方向転換案内面６２６より形成されている。
【００３５】
スライド部材７は、昇降部材５側の端部に連結された方向転換部材６と共に左右方向にスライドするスライド杆７１と、スライド杆７１を常に昇降部材５の方向にスライドするよう付勢する引っ張りバネ７３より構成される。
【００３６】
スライド杆７１は、上前框材１６の内部に位置し、上前框材１６の下面に左右方向ほぼ全幅に渡って連結される下連結材１７の上面に、左右方向ほぼ全幅に渡って固着されたスライド杆保持材７２に左右にスライド自在に保持されている。
すなわち、スライド杆７１は、所定個所（実施例では左右２箇所）に、スライド幅に対応する左右方向に長いスライド保持用長孔７１２、７１２が形成され、スライド保持用長孔７１２、７１２を貫挿し、スライド保持用長孔７１２より高さ方向で大径の頭部を有する、スライド保持用ネジ７１３、７１３をスライド杆保持材７２に螺合することで、スライド杆保持材７２にスライド自在に保持されている。
符号７１４は、スライド杆７１のスライド動作が円滑に行われるよう、スライド杆保持材７２とスライド杆７１間に位置し、スライド保持用ネジ７１３、７１３が貫通する滑子を示している。
【００３７】
そして、スライド杆７１の扉２の表示窓２１側の端部には、前方に突出し、前面が表示窓２１に臨む表示用部材７１５がとりつけられ、表示用部材７１５の前面には投入不可能である状態とのメッセージ（例えば「使用不可」あるいは「交換時期」等の文字を印刷した貼着シート）と、投入可能である状態とのメッセージ（例えば「使用中」等の文字を印刷した貼着シート）が、表示窓２１に適宜表示される指示部が設けられている。
【００３８】
一方、スライド杆保持材７２には、引っ張りバネ７３の一端が固定されるスライド杆７１に設けられた移動側バネ固定座７１６が、後方に突出した状態でスライド杆７１と共にスライド可能なよう、逃がし孔７２１と、逃がし孔７２１の昇降部材５側に位置し、引っ張りバネ７３の他端が固定される固定側バネ固定座７２２が設けられ、移動側バネ固定座７１６と固定側バネ固定座７２２間に張りバネ７３を配設することにより、スライド杆７１は常に昇降杆５1側に移動するよう付勢されている。
【００３９】
施錠部材８は、スライド杆７１に設けられた施錠杆操作片８１と、施錠杆操作片８１の動きによって、施錠状態と開錠状態に移動する施錠杆８２と、施錠杆８２を上前框材１６と共に上下方向に昇降自在に保持する施錠杆保持材８３と、下連結材１７の下面に連結され、上前框材１６の内部下方に突出する施錠杆下支持材８４より構成されている。
【００４０】
施錠杆操作片８１は、スライド杆７１に連結された操作片連結部８１１と、スライド杆７１の前方に位置し、操作片連結部８１１の施錠杆８２側の端部から、施錠杆８２側に突出する開錠部８１２と、昇降杆５１の反対側の端部から昇降杆５１側にかけて下方に傾斜する施開錠用傾斜面８１３を有する施錠部８１４より形成されている。
【００４１】
施錠杆８２は、前記施錠杆操作片８１の開錠部８１２と施錠部８１４が選択的に係合する係合孔８２１と、常に施錠杆８２を上方に押し上げるよう付勢する施錠杆押し上げバネ８２２が取り付けられる、係合孔８２１の上方に位置するバネ取り付け孔８２３を有する施錠杆本体８２０と、施錠時に前記施錠部材出入孔２０２から上方に突出する施錠杆本体８２０の上端に連設された係止突片８２４と、係止突片８２４の最大上昇位置を維持する施錠杆本体８２０の上端前後面に形成された上端ストッパー突部８２５より形成されている。
【００４２】
尚、バネ取り付け孔８２３の上端には、施錠杆押し上げバネ８２２が短縮した状態で下方から
外嵌する、バネ脱落防止突部８２６が下方に突出して形成されている。
そして、係止突片８２４の上端面には、前端から後端にかけて下方に傾斜する回動蓋閉鎖案内面が形成されているものである。
【００４３】
施錠杆保持材８３は、上面部８３０に係止突片８２４が挿通可能で、係止突片８２４の横断面形にほぼ一致する大きさの上支持孔８３１を有し、下面に施錠杆本体８２０が挿通可能で、施錠杆本体８２０の横断面形状にほぼ一致する大きさで、上前框材１６の上面に取り付けられた状態で、上前框材１６に形成された施錠杆支持孔１６１に連通する下支持孔８３２を有している。
【００４４】
本発明は、上記のように構成され、下部載置棚３上に置かれた回収容器Ｑ内に回収された廃棄物が一定の重量に達するまでは、回収された廃棄物の重量に応じて、載置棚押し上げバネの弾性に抗して下部載置棚３と共に、昇降杆５１は下降し、同時に嵌入ピン５４も、方向転換部材６の昇降案内溝６０内を下降するが、この時、嵌入ピン５４は、突出嵌合部６２２の縦嵌合凸壁６２３に当接することによって、張りバネ７３の付勢によるスライド杆７１のスライドを阻止している。（図８、図９に示す状態）
そして、表示窓２１には、表示用部材７１５の指示部に標示された投入可能である状態とのメッセージ（例えば「使用中」等の文字を印刷した貼着シート）が表示される。
【００４５】
この時、施錠杆操作片８１の開錠部８１２が施錠杆８２の係合孔８２１に完全に係合し、その下端面が係合孔８２１の下端面に当接しているので、施錠杆押し上げバネ８２２の弾性に抗して施錠杆８２を押し下げ、係止突片８２４を投入口用回動蓋２０１の下端部下方に係止突片８２４を位置せしめた状態を維持している。
【００４６】
一方、回収容器Ｑ内に回収された廃棄物が所定の重量に達すると、下部載置棚３と共に、下降した昇降杆５１によって、嵌入ピン５４も、昇降案内溝６０の下端、すなわち、方向転換突出嵌合部６２２の縦嵌合凸壁６２３の下方（スライド案内溝６００の昇降杆５１側の端部）に位置し、同時に、張りバネ７３の付勢、スライド案内溝６００によって、スライド杆７１と共に方向転換部材６も昇降杆５１側に移動し、方向転換案内溝６２０の施錠杆８２側の端面が嵌入ピン５４に当接し、同時にスライド保持用長孔７１２、７１２の端面が、スライド保持用ネジ７１３、７１３に当接し、スライド杆７１のスライドを停止させる。
そして、表示窓２１には、表示用部材７１５の指示部に標示された投入不可能である状態とのメッセージ（例えば「使用不可」あるいは「交換時期」等の文字を印刷した貼着シート）が表示される。
【００４７】
この時、施錠杆操作片８１の施錠杆操作片８１がスライド杆７１と共に昇降杆５１側に移動するが、該移動と同時に、施錠部８１４の施錠用傾斜面８１３の下面に、施錠杆押し上げバネ８２２の付勢によって、施錠杆８２の係合孔８２１の下面が接触しながら施錠杆８は上昇し、上端ストッパー突部８２５が施錠杆保持材８３の上面部８３０の下面に当接して施錠杆８２の上昇が停止し、施錠用傾斜面８１３の先端下面が係合孔８２１の下面に係止した状態を維持している。（図１３、図１４に示す状態）
そして、係止突片８２４は、投入口用回動蓋２０１の下端部後方に突出した状態が維持され、投入口用回動蓋２０１は投入口孔２０を閉塞し、廃棄物の投入を阻止する。
【００４８】
一方、廃棄途中で所定の重量に達したとき、係止突片８２４は突出した状態で、投入口用回動蓋２０１開放されているが、投入口２０から手先を抜き出すと共に、上端回動部に設けられた巻バネ（図示せず。）によって、投入口用回動蓋２０１は常に投入口２０を閉塞方向に付勢されているので、係止突片８２４の回動蓋閉鎖案内面８２７に投入口用回動蓋２０１の前面下端部が当接し、施錠杆押し上げバネ８２２に抗して係止突片８２４を押し下げながら回動し閉塞する。
【００４９】
そして、扉２を開放して、回収容器Ｑを下部載置棚３から取り出すと、負荷が除かれた下部載置棚３は、載置棚押し上げバネ３０・・・によって、昇降杆５１（嵌入ピン５４）と共に押し上げられる。すると、嵌入ピン５４は方向転換部材６の基台６１に形成された傾斜壁６１５を押し上げるようにしながら、引っ張りバネ７３の付勢に抗して、スライド杆７１と共に方向転換部材６を施錠杆８２方向に移動させると同時に、嵌入ピン５４の先端部が突出嵌合部６２２の方向転換案内面６２６に当接しているので、押しバネ６３の付勢に抗して出入嵌合部材６２も後方に移動させる。（図１９、図２０に示す状態）
【００５０】
そして、傾斜壁６１５の昇降杆５１側の端部が嵌入ピン５４の位置する個所まで移動し、嵌入ピン５４が方向転換案内面６２６（突出嵌合部６２）を乗り越え、基台６１の縦壁６１３の上端に嵌入ピン５４が位置すると、同時に、押しバネ６３の付勢によって、出入嵌合部材６２が突出状態に復帰し、嵌合ピン５４が移動転換案内溝６２０から、昇降案内溝６０の上端に位置する。すなわち、嵌入ピン５４は縦嵌合凸壁６２３に当接することによって、引っ張りバネ７３の付勢による昇降杆５１方向へのスライド杆７１のスライドを阻止する。
【００５１】
一方、スライド杆７１に設けられた施錠杆操作片８１も、スライド杆７１と共に昇降杆５１の反対側方向に移動し、施錠杆操作片８１の開錠部８１２に形成された施開錠傾斜面８１３の下面によって、係合孔８２１の下端部を押し下げ施錠杆８２を施錠杆押し上げバネ８２２に抗して下方に押し下げ、開錠部８１２が係合孔８２１に完全に係合した状態で、係止突片８２４を投入口用回動蓋２０１の下端部下方に位置せしめた状態を維持し、投入口用回動蓋２０１の回動を可能にすると共に、表示窓２１には、表示用部材７１５の指示部に標示された投入可能である状態とのメッセージ（例えば「使用中」等の文字を印刷した貼着シート）が表示される。
そして、空の回収容器Ｑを再び下部載置棚３にセットし、扉２を施錠して、再び機密書類廃棄用キャビネット１０は使用される。
【００５２】
本発明は上記のごとく構成されているので、各部材に配設されるバネの弾撥力は、その機能から、施錠杆押し上げバネ８２２より投入口用回動蓋２０１の巻きバネの弾撥力が強く、載置棚押し上げバネ３０・・・は、引っ張りバネ７３と、押しバネ６３と、施錠杆押し上げバネ８２をあわせた弾撥力より強く設定される。
【符号の説明】
【００５３】
Ｑ        回収容器
１        キャビネット本体
１０      機密書類廃棄用キャビネット
２        扉
２０      投入口
２０１    投入口用回動蓋
３        下部載置棚
５        昇降部材
５０      回動蓋施開錠装置
５１      昇降杆
５４      嵌入ピン
６        方向転換部材
６０      昇降案内溝
６１      基台
６２      出入嵌合部材
６３      押しバネ
６００    スライド案内溝
６２０    方向転換案内溝
７        スライド部材
７１      スライド杆
８        施錠部材
８１      施錠杆操作片
８２      施錠杆  
８２４    係止突片
８２７    回動蓋閉鎖案内面
【図１】
0006659432.tif 000002
【図２】
0006659432.tif 000003
【図３】
0006659432.tif 000004
【図４】
0006659432.tif 000005
【図５】
0006659432.tif 000006
【図６】
0006659432.tif 000007
【図７】
0006659432.tif 000008
【図８】
0006659432.tif 000009
【図９】
0006659432.tif 000010
【図１０】
0006659432.tif 000011
【図１１】
0006659432.tif 000012
【図１２】
0006659432.tif 000013
【図１３】
0006659432.tif 000014
【図１４】
0006659432.tif 000015
【図１５】
0006659432.tif 000016
【図１６】
0006659432.tif 000017
【図１７】
0006659432.tif 000018
【図１８】
0006659432.tif 000019
【図１９】
0006659432.tif 000020
【図２０】
0006659432.tif 000021
【図２１】
0006659432.tif 000022
【図２２】
0006659432.tif 000023